(57)【要約】  本文書は、テトリスハウス設計システムに関するものであって、解決しようとする技術的課題は、非専門家の住宅設計がより容易であり、最終確定された住宅構造に対するシミュレーションができるようにすることにある。一例として、住宅の各単位室内空間を一定サイズの実面積が反映された３次元ブロックに各々分けて提供する単位室内空間提供部と、前記単位室内空間の種類と個数を選択するための単位室内空間選択部と、前記単位室内空間選択部を介して選択された３次元ブロックを組み合わせて住宅構造データを生成する住宅構造生成部と、前記住宅構造データに基づき、仮想現実データを生成して提供する仮想現実データ提供部とを備えるテトリスハウス設計システムを開示する。【選択図】図１
2021501934.tif 000002
【特許請求の範囲】
【請求項１】
住宅の各単位室内空間を一定サイズの実面積が反映された３次元ブロックに各々分けて提供する単位室内空間提供部と、
前記単位室内空間の種類と個数を選択するための単位室内空間選択部と、
前記単位室内空間選択部を介して選択された３次元ブロックを組み合わせて住宅構造データを生成する住宅構造生成部と、
前記住宅構造データに基づき、仮想現実データを生成して提供する仮想現実データ提供部と、
を備えることを特徴とするテトリスハウス設計システム。
【請求項２】
前記住宅構造生成部を介して生成された住宅構造データとして住宅構造が最終確定されれば、前記単位室内空間選択部を介して選択された単位室内空間の種類と個数、及び前記３次元ブロックの実面積情報に基づき、１次工事資材見積費用を計算して提供する１次工事見積費用提供部をさらに備えることを特徴とする請求項１に記載のテトリスハウス設計システム。
【請求項３】
前記住宅構造生成部は、
前記単位室内空間選択部を介して選択された３次元ブロックをパズル形態で組み合わせて第１の住宅構造データを生成する第１の住宅構造生成部と、
前記第１の住宅構造データに基づき、部屋のドア、出入り口と窓の位置、種類、及び個数を設定して第２の住宅構造データを生成する第２の住宅構造生成部と、
を備えることを特徴とする請求項１に記載のテトリスハウス設計システム。
【請求項４】
前記第１の住宅構造生成部は、
前記単位室内空間選択部を介して選択された３次元ブロック間の少なくとも１つ以上の組み合わせシミュレーションを提供する組み合わせシミュレーション部と、
ユーザ設定によって起動され、前記単位室内空間選択部を介して選択された３次元ブロック間を組み合わせるための組み合わせインターフェース部と、
を備えることを特徴とする請求項３に記載のテトリスハウス設計システム。
【請求項５】
前記組み合わせインターフェース部は、
３次元ブロック間組み合わせが不可能な設計情報が予め保存されて、前記単位室内空間選択部を介して選択された３次元ブロック間の組み合わせの際、前記設計情報に該当する組み合わせがなされる場合、当該３次元ブロックを組み合わせ中のシミュレーションから脱落させることを特徴とする請求項４に記載のテトリスハウス設計システム。
【請求項６】
前記第２の住宅構造生成部は、
前記第１の住宅構造データのうち、３次元ブロックの接触面を各々選択可能なように表示するブロック接触面表示部と、
前記第１の住宅構造データのうち、前記接触面を除いた３次元ブロックの外側面を各々選択可能なように表示するブロック外側面表示部と、
前記ブロック接触面表示部を介して表示される接触面に対して単位室内空間の間の開放可否及び部屋のドアの種類と位置を選択するための内部構造選択部と、
前記ブロック外側面表示部を介して表示される外側面に対して窓及び出入り口の種類と位置を選択するための外部構造選択部と、
を備えることを特徴とする請求項４に記載のテトリスハウス設計システム。
【請求項７】
前記仮想現実データ提供部は、
前記住宅構造データを３次元モデルデータにレンダリングして前記仮想現実データを生成する仮想現実データ生成部と、
前記住宅構造データに基づき、仮像住宅の内部構造、形状、サイズ、及び採光を体験できるように前記仮想現実データを実行する仮想現実データ実行部と、
を備えることを特徴とする請求項１に記載のテトリスハウス設計システム。
【発明の詳細な説明】
【技術分野】
【０００１】
本文書は、テトリスハウス設計システムに関する。
【背景技術】
【０００２】
現代住宅の場合、住宅の構造が画一化されずに、家ごとに特色のあるように設計されている傾向である。
【０００３】
このように、個人住宅構造が多様化されるにつれて、ユーザがもう少し自分が望む構造で設計することを求めているが、ユーザが望む構造の住宅を直接設計できる適切な手段がないため、住宅設計製作の際、設計者とユーザとの間の疎通が容易ではない。
【０００４】
一方、従来の登録特許公報第１０−１１０５３８５号（登録日付：２０１２年０１月０５日）には、規格化された基本建築ユニットを組み合わせ配置して、ユーザが建築物を直接設計できるシステムを提案しているが、韓屋のような木造建築物に制限されたシステムであり、内外部の出入構造に対する選択のための手段がなく、ユーザが直接設計した住宅構造を、設計図面以外には確認する方法がなく、ユーザ満足度が高くない。
【発明の概要】
【発明が解決しようとする課題】
【０００５】
本文書は、非専門家の住宅設計がより容易であり、最終確定された住宅構造に対するシミュレーションが可能なテトリスハウス設計システムを提供する。
【課題を解決するための手段】
【０００６】
本文書の実施形態に係るテトリスハウス設計システムは、住宅の各単位室内空間を一定サイズの実面積が反映された３次元ブロックに各々分けて提供する単位室内空間提供部と、前記単位室内空間の種類と個数を選択するための単位室内空間選択部と、前記単位室内空間選択部を介して選択された３次元ブロックを組み合わせて住宅構造データを生成する住宅構造生成部と、前記住宅構造データに基づき、仮想現実データを生成して提供する仮想現実データ提供部とを備える。
【０００７】
また、前記住宅構造生成部を介して生成された住宅構造データとして住宅構造が最終確定されれば、前記単位室内空間選択部を介して選択された単位室内空間の種類と個数、及び前記３次元ブロックの実面積情報に基づき、１次工事資材見積費用を計算して提供する１次工事見積費用提供部をさらに備えることができる。
【０００８】
また、前記住宅構造生成部は、前記単位室内空間選択部を介して選択された３次元ブロックをパズル形態で組み合わせて第１の住宅構造データを生成する第１の住宅構造生成部と、前記第１の住宅構造データに基づき、部屋のドア、出入り口と窓の位置、種類、及び個数を設定して第２の住宅構造データを生成する第２の住宅構造生成部とを備えることができる。
【０００９】
また、前記第１の住宅構造生成部は、前記単位室内空間選択部を介して選択された３次元ブロック間の少なくとも１つ以上の組み合わせシミュレーションを提供する組み合わせシミュレーション部と、ユーザ設定によって起動／作動され、前記単位室内空間選択部を介して選択された３次元ブロック間を組み合わせるための組み合わせインターフェース部とを備えることができる。
【００１０】
また、前記組み合わせインターフェース部は、３次元ブロック間組み合わせが不可能な設計情報が予め保存されて、前記単位室内空間選択部を介して選択された３次元ブロック間の組み合わせの際、前記設計情報に該当する組み合わせがなされる場合、当該３次元ブロックを組み合わせ中のシミュレーションから脱落させることができる。
【００１１】
また、前記第２の住宅構造生成部は、前記第１の住宅構造データのうち、３次元ブロックの接触面を各々選択可能なように表示するブロック接触面表示部と、前記第１の住宅構造データのうち、前記接触面を除いた３次元ブロックの外側面を各々選択可能なように表示するブロック外側面表示部と、前記ブロック接触面表示部を介して表示される接触面に対して単位室内空間の間の開放可否及び部屋のドアの種類と位置を選択するための内部構造選択部と、前記ブロック外側面表示部を介して表示される外側面に対して窓及び出入り口の種類と位置を選択するための外部構造選択部とを備えることができる。
【００１２】
また、前記仮想現実データ提供部は、前記住宅構造データを３次元モデルデータにレンダリングして前記仮想現実データを生成する仮想現実データ生成部と、前記住宅構造データに基づき、仮像住宅の内部構造、形状、サイズ、及び採光を体験できるように前記仮想現実データを実行する仮想現実データ実行部とを備えることができる。
【発明の効果】
【００１３】
本文書によれば、非専門家の住宅設計がより容易であり、最終確定された住宅構造に対するシミュレーションが可能なテトリスハウス設計システムを提供できる。
【図面の簡単な説明】
【００１４】
【図１】本文書の実施形態に係るテトリスハウス設計システムの全体構成を示したブロック図及び概要図である。
【図２】本文書の実施形態に係る住宅構造生成部の詳細構成を示したブロック図である。
【図３】本文書の実施形態に係る仮想現実データ提供部の詳細構成を示したブロック図である。
【図４】本文書の実施形態に係る単位室内空間提供部で提供する３次元ブロックのイメージ構成を示した図である。
【図５ａ】本文書の実施形態に係る単位室内空間選択部を介して選択される３次元ブロックを示した図である。
【図５ｂ】本文書の実施形態に係る単位室内空間選択部を介して選択される３次元ブロックを示した図である。
【図６ａ】本文書の実施形態に係る住宅構造生成部のブロック組み合わせを介して生成された住宅構造データに対するイメージを示した図である。
【図６ｂ】本文書の実施形態に係る住宅構造生成部のブロック組み合わせを介して生成された住宅構造データに対するイメージを示した図である。
【図７】本文書の実施形態によって生成された住宅構造データに基づき、内／外部構造を選択するためのインターフェースを示した図である。
【図８】本文書の実施形態に係る仮想現実データ提供部を介して実行される仮想現実画面を示した図である。
【発明を実施するための形態】
【００１５】
図１は、本文書の実施形態に係るテトリスハウス設計システムの全体構成を示したブロック図及び概要図であり、図２は、本文書の実施形態に係る住宅構造生成部の詳細構成を示したブロック図であり、図３は、本文書の実施形態に係る仮想現実データ提供部の詳細構成を示したブロック図であり、図４は、本文書の実施形態に係る単位室内空間提供部で提供する３次元ブロックのイメージ構成を示した図であり、図５ａ及び図５ｂは、本文書の実施形態に係る単位室内空間選択部を介して選択される３次元ブロックを示した図であり、図６ａ及び図６ｂは、本文書の実施形態に係る住宅構造生成部のブロック組み合わせを介して生成された住宅構造データに対するイメージを示した図であり、図７は、本文書の実施形態によって生成された住宅構造データに基づき、内／外部構造を選択するためのインターフェースを示した図であり、図８は、本文書の実施形態に係る仮想現実データ提供部を介して実行される仮想現実画面を示した図である。
【００１６】
図１〜図８に示すように、本文書の実施形態に係るテトリスハウス設計システム１０００は、定形化された直方体状の３次元ブロックを用いた建築設計プログラムであって、単位室内空間提供部１００、単位室内空間選択部２００、住宅構造生成部３００、仮想現実データ提供部４００、及び１次工事見積費用提供部５００を備える。
【００１７】
本実施形態において、単位室内空間提供部１００、単位室内空間選択部２００、住宅構造生成部３００、及び１次工事見積費用提供部５００は、スマートフォンやタブレットＰＣなど、スマート機器１に設けられるアプリケーションまたはプログラム形態で実現されることができ、仮想現実データ提供部４００は、ＶＲ（ｖｉｒｔｕａｌ  ｒｅａｌｉｔｙ）機器２に設けられるプログラム形態で実現されることができるが、これは、１つの実現例であり、様々な形態に変更して実現されることができる。
【００１８】
また、アプリケーションは、ユーザが直接使用して個人の好みに合う個性のある住宅設計ができるように支援し、必要に応じて設計者または設計関連専門家の助けを受けてユーザにより直接実行されることができる。ＶＲ機器２は、省略可能であり、省略される場合、当該仮想現実データは、アプリケーションを介して実行されることができる。
【００１９】
前記単位室内空間提供部１００は、住宅の各単位室内空間を一定サイズの実面積が反映された３次元ブロック１０に各々分けて提供することができる。ここで、単位室内空間は、居間、厨房、食堂、お手洗い、階段、部屋、玄関などの機能を有する空間を意味するものであって、一定規格によって３次元ブロック１０で表示されることができる。例えば、３次元ブロック１０は、図４に示されたように、フレーム１１、上面１２、下面１３、及び第１ないし第４の側面１４ａ、１４ｂ、１４ｃ、１４ｄからなる略立方体形態の３次元イメージで表示されることができる。このような３次元ブロック１０の横×縦×高さが略３ｍ×３ｍ×３ｍの一定規格またはサイズを有するように予め設定されている。
【００２０】
一方、３次元ブロック１０は、単位室内空間の各機能別に、その内部に基本的なインテリアが表示され得るが、例えば、寝室の場合、寝台、化粧台、たんすなどを表す３次元グラフィックが基本的に表示され得るし、厨房の場合、シンク台、冷蔵庫などを表す３次元グラフィックが表示されることにより、３次元ブロック１０の組み合わせ過程で当該ブロックがいかなるブロックであるかを直観的に確認できるように助ける。
【００２１】
前記単位室内空間選択部２００は、単位室内空間の種類と個数を選択できる。このために、単位室内空間選択部２００は、単位室内空間の種類を表すアイコンやテキスト情報と当該空間の個数を選択可能に提供できるユーザインターフェースを備えることができる。
【００２２】
前記単位室内空間選択部２００は、ユーザインターフェースを介してユーザから選択された３次元ブロックを表示できる。例えば、図５ａに示されたように、ユーザが「Ａ、Ｂ、Ｃ、Ｄ、Ｅ、Ｆ」という３次元ブロックを選択する場合、これらに表示することができるが、ここで、Ａブロックは、寝室、Ｂブロックは、食堂、Ｃブロックは、厨房、Ｄブロックは、お手洗い、Ｅブロックは、居間、Ｆブロックは、玄関を意味でき、図示されていないが、ユーザが選択した各ブロックの個数情報も表示することができる。
【００２３】
建築物を設計しようとするならば、Ｘ軸、Ｙ軸、Ｚ軸からなる３次元空間で作られる建築物の形態を頭の中で想像しながら実際長さを記入し、平面と断面、立面を描かなければならないが、これは、建築的な専門訓練が必要である。建築家は、このような設計作業をＳｋｅｔｃｈＵｐ（登録商標）やＡｕｔｏＣＡＤ（登録商標）のような専門的なプログラムを利用するが、このような設計過程は一般の人には容易ではない。これにより、本実施形態の設計システム１０００を介して提供されるオプションによって形態を選び、組み合わせて容易に建築物を作ることができる。
【００２４】
すなわち、図５ｂ及び図６ｂに示されたように、３次元ブロックで表示される単位室内空間を自分に必要な部屋、居間、お手洗い、厨房、食堂、玄関、階段などのモジュールを選んで組み合わせると、このプログラムが自動的に種々の組み合わせの場合の数を作って建物を見せるので、一般の人も容易に建築物を設計でき、空間のサイズが決まっており、建築的なミスを最小化できる。
【００２５】
前記住宅構造生成部３００は、単位室内空間選択部２００を介して選択された３次元ブロック１０を組み合わせて住宅構造データを生成できる。このために、住宅構造生成部３００は、第１の住宅構造生成部３１０と第２の住宅構造生成部３２０とを備えることができる。
【００２６】
前記第１の住宅構造生成部３１０は、単位室内空間選択部２００を介して選択された３次元ブロック１０をパズル形態で組み合わせて第１の住宅構造データを生成できる。このために、第１の住宅構造生成部３１０は、組み合わせシミュレーション部３１１と組み合わせインターフェース部３１２とを備えることができる。
【００２７】
前記組み合わせシミュレーション部３１１は、単位室内空間選択部２００を介して選択された３次元ブロック１０間の少なくとも１つ以上の組み合わせシミュレーションを提供できる。基本的に、選択可能な全ての単位室内空間が選択される場合、全ての３次元ブロック、すなわち居間、厨房、食堂、お手洗い、階段、部屋、玄関などで組み合わせられる様々な住宅構造ケースをイメージとして提供することができ、それ以外に選択された単位室内空間の組み合わせによっても様々な住宅構造ケースをイメージとして提供して、ユーザが当該組み合わせ別の住宅構造ケースを確認した後、所望のケースを選択できるようにする。
【００２８】
これにより、組み合わせシミュレーション部３１１は、ユーザが特定ブロック１０を選択した場合、選択されたブロック１０で組み合わせることができるケースをシミュレーションして表示することができ、ユーザが所望のシミュレーションを選択することができる。
【００２９】
このような組み合わせシミュレーション部３１１は、建築構造についての専門的理解が足りない一般ユーザに有用に利用されることができ、各ケース別の便宜性、インテリア推薦情報などを提示できる。
【００３０】
前記組み合わせインターフェース部３１２は、ユーザ設定によって起動され、単位室内空間選択部２００を介して選択された３次元ブロック１０間をユーザが直接組み合わせることができるようにユーザインターフェースを提供できる。
【００３１】
例えば、図５に示されたように、ユーザが「Ａ、Ｂ、Ｃ、Ｄ、Ｅ、Ｆ」ブロックを選択した場合、選択された「Ａ、Ｂ、Ｃ、Ｄ、Ｅ、Ｆ」ブロックを図６に示されたように、「Ａ、Ｂ、Ｃ、Ｄ」ブロックを一列に配置し、「Ｅ、Ｆ」ブロックを「Ｃ」ブロックの側面に配置して１つの住宅構造データを生成でき、これを、３次元グラフィック化して表示することができる。本実施形態では、上記のように選択されたブロックをＴ字構造で組み合わせることができるだけでなく、組み合わせインターフェース部３１２を用いてユーザが直接当該ブロックを表すグラフィックまたはアイコンなどをドラッグ・アンド・ドロップ方式にて移動させて様々な組み合わせを直接作ることができる。
【００３２】
前記組み合わせインターフェース部３１２には、３次元ブロック間組み合わせが不可能な設計情報が予め保存されている。例えば、１階が１つのブロックのみで構成され、２階以上に複数のブロックで構成される組み合わせ、玄関が２階に配置された組み合わせ、「部屋−お手洗い−部屋」のように、部屋と部屋との間の空間が開いた共同生活空間でなく、住宅使用上、不便さが予想される組み合わせなど、様々な組み合わせ情報が保存され得る。
【００３３】
前記組み合わせインターフェース部３１２は、ユーザがブロック組み合わせを上記のような場合に該当する組み合わせで作った場合、組み合わせられた３次元ブロックを組み合わせ中のシミュレーションから脱落させることができる。
【００３４】
例えば、ユーザが、１階が１つのブロックのみで構成され、２階以上に複数のブロックで構成される組み合わせで作った場合、２階の一部ブロックを１階へ移動させるものの、１階に配置されることが適切な室内単位空間のブロックから移動させ、このような過程で不適切に配置されたブロックを当該組み合わせから離脱または脱落させることができる。
【００３５】
また、玄関が２階に配置される組み合わせで作った場合、当該ブロックを組み合わせから脱落させて１階に配置されるようにし、「部屋−お手洗い−部屋」のように、部屋と部屋との間の空間が開いた共同生活空間でなく、住宅使用上、不便さが予想される組み合わせである場合には、「お手洗い」に該当するブロックを当該組み合わせから離脱または脱落させて予め設定された適切な位置に配置することができる。これにより、建築設計や常識が足りないユーザも適切なブロック組み合わせの設計ができるようにガイドすることができる。
【００３６】
一方、３次元ブロックとブロックとの間が連結されるとき、当該ブロックに含まれるフレーム１１も重複するが、このような場合、すなわち、２個以上のフレーム１１が重なったり、重複したりする場合、設計プログラム上で１個の柱に自動変更されるように設計データを生成できる。
【００３７】
前記第２の住宅構造生成部３２０は、上記のように生成された第１の住宅構造データに基づき、部屋のドア、出入り口と窓の位置、種類、及び個数を設定して第２の住宅構造データを生成できる。このために、第２の住宅構造生成部３２０は、ブロック接触面表示部３２１、ブロック外側面表示部３２２、内部構造選択部３２３、及び外部構造選択部３２４を備えることができ、ブロック接触面表示部３２１と内部構造選択部３２３とが１つのユーザインターフェース（以下、第１のユーザインターフェースという）を介して実行されることができ、ブロック外側面表示部３２２と外部構造選択部３２４とがさらに他の１つのユーザインターフェース（第２のユーザインターフェースという）を介して実行されることができる。
【００３８】
前記ブロック接触面表示部３２１は、第１のユーザインターフェースを用いて第１の住宅構造データのうち、３次元ブロックの接触面を各々選択可能なように表示することができる。例えば、図７に示されたように、「Ａ」ブロックと「Ｂ」ブロックとが接している場合、「Ａ」ブロックと「Ｂ」ブロックとの間の接触面を選択できるように表示されることができる。このような接触面の場合、部屋と居間との間、部屋とお手洗いとの間、部屋と厨房との間、部屋と食堂との間などになることができるので、組み合わせられたブロック間の接触面を隔壁または仕切り壁と認知し、認知された当該隔壁または仕切り壁にいかなる出入手段を適用するか、または開放するかの可否をユーザが選択できるように各々表示することができる。ただし、設定によって互いに隣接したブロックが同じ種類の室内単位空間である場合、当該ブロック間の接触面を別に表示しないことができる。例えば、居間と居間、部屋と部屋、お手洗いとお手洗いなどが直接的に連結されるように組み合わせられる場合、居間のサイズを拡張したり、部屋のサイズを拡張したり、お手洗いのサイズを拡張することと認知して、当該ブロック間接触面を選択可能なように別に表示しないことができる。これは、ユーザ設定によるものであり、同種のブロックでも互いに隣接した場合、当該接触面を全て選択可能なように表示することもできる。
【００３９】
前記ブロック外側面表示部３２２は、第２のユーザインターフェースを用いて第１の住宅構造データのうち、３次元ブロックの接触面を除いた外側面を各々選択可能なように表示することができる。例えば、図７に示されたように、「Ｃ」ブロックの場合、ブロック間接触がない外側面が選択可能なように表示されることができる。もちろん、「Ｃ」ブロックだけを表示するものではなく、全ての外壁が選択可能なように表示されることができる。
【００４０】
前記内部構造選択部３２３は、第１のユーザインターフェースを用いてブロック接触面表示部３２１を介して表示される各接触面に対して単位室内空間の間の開放可否及び部屋のドアの種類と位置を選択できるようにする。例えば、図７に示されたように、「Ａ」ブロックと「Ｂ」ブロックとの間の接触面を選択すれば、当該ブロック間の出入り口を片開き戸、両開き戸、片引き戸、水平引き戸など、ドアと関連した建築記号または名前と説明を表示し、ユーザが望む種類のドアを選択できるようにし、その位置も選択可能なようにする。もちろん、図示されていないが、「Ａ」ブロックと「Ｂ」ブロックとの間に別の出入り口なしに開放された形態への選択も可能である。
【００４１】
一方、内部構造選択部３２３は、ブロックとブロックとが組み合わせられれば、隣接したブロック、すなわち、隣接した室内単位空間の間の重複する柱形態や種類、内部仕上げ材を選択できるように第１のユーザインターフェースを提供できる。
【００４２】
前記外部構造選択部３２４は、第２のユーザインターフェースを用いて、ブロック外側面表示部３２２を介して表示される外側面に対して窓及び出入り口の種類と位置を選択できるようにする。例えば、図７に示されたように、片開き窓、両開き窓、網紗窓、片開き戸、両開き戸等、窓及び出入り口と関連した建築記号または名前と説明を表示し、ユーザが望む種類の窓と出入り口を選択できるようにし、その位置も選択可能なようにする。
【００４３】
一方、外部構造選択部３２４は、ブロックとブロックとが最終組み合わせられれば、外部仕上げ材と屋根形態などを選択できるように第２のユーザインターフェースを提供できる。
【００４４】
上述した第１及び第２のユーザインターフェースは、第１の住宅構造生成部３１０を介して第１の住宅構造データの生成が完了した後、順次起動させることができ、当該インターフェースを介しての部屋のドア、出入り口、窓の種類と位置、個数などの設定と選択が完了すれば、第２の住宅構造データが生成され得る。
【００４５】
一方、住宅構造生成部３００は、第３のユーザインターフェースを提供して、ユーザが組み合わせたそれぞれのブロック間電気配線、配水ラインなどのブロック間の内部施設やシステム設計に対する設定または選択が可能なようにすることができる。
【００４６】
前記仮想現実データ提供部４００は、住宅構造生成部３００を介して生成された住宅構造データ、すなわち、第２の住宅構造データに基づき、仮想現実データを生成して提供することができる。このために、仮想現実データ提供部４００は、仮想現実データ生成部４１０と仮想現実データ実行部４２０とを備えることができる。
【００４７】
前記仮想現実データ生成部４１０は、住宅構造データを３次元モデルデータにレンダリングして仮想現実データを生成できる。住宅構造生成部３００を介して生成された住宅構造データも３次元グラフィックデータであるが、これをＶＲ機器２で実行できるように変換する役割をする。このような仮想現実データ生成部４１０は、スマート機器１に設けられた専用アプリケーションで実現されることができ、生成された仮想現実データは、ＶＲ機器２に送信して当該データが実行されるようにする。
【００４８】
前記仮想現実データ実行部４２０は、ＶＲ機器２に設けられるプログラム形態で実現されることができるが、ＶＲ機器２自体として実現されることもできる。このような仮想現実データ実行部４２０は、仮想現実データ生成部４１０を介して生成された住宅構造データに基づき、仮像住宅の内部構造、形状、サイズ、及び採光を体験できるように仮想現実データを実行できる。
【００４９】
例えば、仮想現実データ実行部４２０は、図８に示されたように、ユーザがＶＲ機器２を着用すれば、仮想現実データ生成部４１０を介して生成された仮想現実データが実行されて、ユーザが仮像住宅の内部を移動しながら、当該住宅内部の構造、形状、サイズなどを体感または体験できるようにする。このような過程を介してユーザは、自分が設計した住宅を最大限直接的に確認することができることにより、既存の設計図面などで確認する方式に比べてより効果的に住宅の設計構造を理解でき、当該住宅の構造設計に対する修正または変更において役に立つことができる。
【００５０】
前記１次工事見積費用提供部５００は、住宅構造生成部３００を介して生成された住宅構造データとして住宅構造が最終確定されれば、単位室内空間選択部２００を介して選択された単位室内空間の種類と個数、及び３次元ブロックの実面積情報に基づき、１次工事見積費用を計算して提供することができる。
【００５１】
上述したように、単位室内空間で表示される３次元ブロックは、一定の規格情報を有するので、ユーザが選択した単位室内空間の総個数と最終確定された住宅構造で各単位室内空間の種類情報に基づいて概略的な工事資材見積費用を算出できる。
【００５２】
上記のような過程を介して住宅設計が最終確定されれば、本実施形態の設計システム１０００は、指定された施工業者に建築施工を依頼し、このとき、建築申告と建築許可のための費用が異なるので、工事見積費用から建築認許可費用を除いた金額を提示できる。
【００５３】
既存のコンピュータ設計プログラムを利用して一般の人が建築図面を製作する場合、ＳｋｅｔｃｈＵｐ（登録商標）やＡｕｔｏＣＡＤ（登録商標）のような別の専門訓練を必要とするプログラムを利用して３次元の立体建築物を頭で想像しながら図面を描かなければならない。このとき、建築的訓練を受けていない人は、建築物を構想したり、図面設計したりすることが極めて難しい。また、一般の人達は、適当な空間のサイズを計ることができないため（例えば、お手洗いや厨房などを非常に狭く描いたり、非常に広く描いたりする）、製作された設計図面が現実化され得ない場合がほとんどである。
【００５４】
本実施形態に係るテトリスハウス設計システムは、一般の人も定形化された直方体を用いて合理的な空間を計画することができ、容易に建築物の形状を作り、その形態と内外部空間を仮想現実（ＶＲ）ゴーグルで確認した後、修正することができ、最終決定された建物の予想工事費と建築平面図、立面図、断面図、詳細図などの工事図面を出力して容易に工事できるようにし、スマートフォンのアプリケーションでもこのようなプログラムを実現することにより、ユーザの接近性や利便性も高めることができる。
【符号の説明】
【００５５】
１０００  テトリスハウス設計システム
１００  単位室内空間提供部
１０  ３次元ブロック（単位室内空間）
１１  フレーム
１２  上面
１３  下面
１４ａ  第１の側面
１４ｂ  第２の側面
１４ｃ  第３の側面
１４ｄ  第４の側面
２００  単位室内空間選択部
３００  住宅構造生成部
３１０  第１の住宅構造生成部
３１１  組み合わせシミュレーション部
３１２  組み合わせインターフェース部
３２０  第２の住宅構造生成部
３２１  ブロック接触面表示部
３２２  ブロック外側面表示部
３２３  内部構造選択部
３２４  外部構造選択部
４００  仮想現実データ提供部
４１０  仮想現実データ生成部
４２０  仮想現実データ実行部
５００  １次工事見積費用提供部
１  スマート機器
２  ＶＲ機器
【図１】
2021501934.tif 000003
【図２】
2021501934.tif 000004
【図３】
2021501934.tif 000005
【図４】
2021501934.tif 000006
【図５ａ】
2021501934.tif 000007
【図５ｂ】
2021501934.tif 000008
【図６ａ】
2021501934.tif 000009
【図６ｂ】
2021501934.tif 000010
【図７】
2021501934.tif 000011
【図８】
2021501934.tif 000012
【国際調査報告】
2021501934.tif 000013
2021501934.tif 000014
2021501934.tif 000015
2021501934.tif 000016